(57)【要約】【課題】移動体通信装置の位置を十分に考慮した利便性の高いサービス情報を提供することを課題とする。【解決手段】センタは、移動体通信装置から送信されたナビ情報を受信すると（図１の（２）参照）、かかるナビ情報に基づいて、移動体通信装置の予測位置を算定する（図１の（３）参照）。予測位置の算定後、センタは、記憶しているサービス情報から算定した予測位置に応じたサービス情報（例えば、ＣおよびＤ）を検索する（図１の（４）参照）。そして、センタは、検索したサービス情報を移動体通信装置に対して送信し（図１の（５）参照）、移動体通信装置は、センタからサービス情報を受信する（図１の（６）参照）。【選択図】        図１
2007225445.tif 000002
【特許請求の範囲】
【請求項１】
移動体通信装置のナビ情報に基づいて、情報提供装置から当該移動体通信装置に対してサービス情報を提供する情報提供システムにおいて、
前記移動体通信装置は、
前記情報提供装置に対して前記ナビ情報を送信するナビ情報送信手段を備え、
前記情報提供装置は、
前記移動体通信装置から受信したナビ情報に基づいて把握されるルート上で、前記サービス情報を前記移動体通信装置が受信する時に、当該移動体通信装置が到達しているであろう予測位置を算定する予測位置算定手段と、
前記予測位置算定手段により算定された予測位置に応じたサービス情報を検索するサービス情報検索手段と、
前記サービス情報検索手段により検索されたサービス情報を前記移動体通信装置に送信するサービス情報送信手段と、
を備えたことを特徴とする情報提供システム。
【請求項２】
前記予測位置算定手段は、前記ナビ情報送信手段により前記移動体通信装置からナビ情報が送信されてから前記情報提供装置に受信されるまでに要する時間、前記サービス情報検索手段による前記サービス情報の検索に要する検索時間、前記サービス情報送信手段により当該情報提供装置から当該サービス情報が送信されてから当該移動体通信装置に受信されるまでに要する時間のいずれか一つまたは複数を考慮して前記予測位置を算定することを特徴とする請求項１に記載の情報提供システム。
【請求項３】
前記予測位置算定手段は、前記サービス情報送信手段により前記移動体通信装置に送信した前記サービス情報の履歴を考慮して前記予測位置を算定することを特徴とする請求項１に記載の情報提供システム。
【請求項４】
前記予測位置算定手段は、前記移動体通信装置から受信したナビ情報に基づいて把握されるルート上の予測位置の他に、当該ナビ情報に基づいて把握されるルートとは別ルート上の予測位置を算定し、
前記サービス情報検索手段は、前記ルート上の予測位置に応じたサービス情報を検索する他に、前記別のルート上の予測位置に応じた当該サービス情報を検索し、
前記サービス情報送信手段は、前記サービス情報検索手段により検索された各サービス情報を前記移動体通信装置に送信することを特徴とする請求項１に記載の情報提供システム。
【請求項５】
第一の移動体通信装置のナビ情報に基づいて、第二の移動体通信装置から当該第一の移動体通信装置に対してサービス情報を提供する情報提供システムにおいて、
前記第一の移動体通信装置は、
前記第二の移動体通信装置に前記ナビ情報を送信するナビ情報送信手段と、
前記第二の移動体通信装置から前記サービス情報を受信するサービス情報受信手段とを備え、
前記第二の移動体通信装置は、
前記サービス情報を記憶するサービス情報記憶手段と、
前記ナビ情報送信手段により前記第一の移動体通信装置から送信された前記ナビ情報を受信するナビ情報受信手段と、
前記ナビ情報受信手段により前記第一の移動体通信装置から受信したナビ情報に基づいて把握されるルート上で、前記サービス情報受信手段により前記第一の移動体通信装置が前記サービス情報を受信する時に、当該第一の移動体通信装置が到達しているであろう予測位置を算定する予測位置算定手段と、
前記予測位置算定手段により算定された予測位置に応じたサービス情報を前記サービス情報記憶手段に記憶されているサービス情報から検索するサービス情報検索手段と、
前記サービス情報検索手段により検索されたサービス情報を前記第一の移動体通信装置に送信するサービス情報送信手段と、
を備えたことを特徴とする情報提供システム。
【請求項６】
前記サービス情報記憶手段は、各サービス情報のそれぞれに対応付けて公開を許可するかどうかを規定した公開許可情報をさらに記憶し、
前記サービス情報検索手段は、前記サービス情報記憶手段に記憶されている公開を許可すると規定したサービス情報の中から前記予測位置、あるいは当該予測位置および前記限定要求に応じたサービス情報を検索することを特徴とする請求項５に記載の情報提供システム。
【請求項７】
前記ナビ情報送信手段は、前記ナビ情報に変更があった場合に、当該変更に係るナビ情報を送信することを特徴とする請求項１または５に記載の情報提供システム。
【請求項８】
移動体通信装置のナビ情報に基づいて、当該移動体通信装置に対してサービス情報を提供する情報提供装置において、
前記移動体通信装置から受信したナビ情報に基づいて把握されるルート上で、前記サービス情報を前記移動体通信装置が受信する時に、当該移動体通信装置が到達しているであろう予測位置を算定する予測位置算定手段と、
前記予測位置算定手段により算定された予測位置に応じたサービス情報を検索するサービス情報検索手段と、
前記サービス情報検索手段により検索されたサービス情報を前記移動体通信装置に送信するサービス情報送信手段と、
を備えたことを特徴とする情報提供装置。
【請求項９】
移動体通信装置のナビ情報に基づいて、当該移動体通信装置に対してサービス情報を提供する方法をコンピュータに実行させる情報提供装置において、
前記移動体通信装置から受信したナビ情報に基づいて把握されるルート上で、前記サービス情報を前記移動体通信装置が受信する時に、当該移動体通信装置が到達しているであろう予測位置を算定する予測位置算定手順と、
前記予測位置算定手順により算定された予測位置に応じたサービス情報を検索するサービス情報検索手順と、
前記サービス情報検索手順により検索されたサービス情報を前記移動体通信装置に送信するサービス情報送信手順と、
をコンピュータに実行させることを特徴とする情報提供プログラム。
【発明の詳細な説明】
【技術分野】
【０００１】
この発明は、移動体通信装置のナビ情報に基づいて、情報提供装置から当該移動体通信装置に対してサービス情報を提供する情報提供システム、情報提供装置および情報提供プログラムに関する。また、この発明は、第一の移動体通信装置のナビ情報に基づいて、第二の移動体通信装置から当該第一の移動体通信装置に対してサービス情報を提供する情報提供システム、情報提供装置および情報提供プログラムに関する。
【背景技術】
【０００２】
従来より、所定の通信機能（携帯電話端末やＰＨＳ（Personal Handy phone System）等）を備えた移動体通信装置からの要求を受け付けて、かかる移動体通信装置の位置に応じたサービス情報（例えば、交通情報、店舗情報あるいは観光地情報など）を検索して提供する従来技術がある。例えば、特許文献１では、移動体通信装置からサービス情報の要求を受け付けると、ＧＰＳ（Global Positioning System）により取得した移動体通信装置の現在位置に基づいて検索したサービス情報を移動体通信装置の所有者に対して提供する従来技術が開示されている。
【０００３】
【特許文献１】特開２００４−３１７３７４号公報
【発明の開示】
【発明が解決しようとする課題】
【０００４】
ところで、上記した従来の技術は、必ずしも移動体通信装置の位置を十分に考慮したサービス情報を提供するものとはいえない場合があるという問題点があった。
【０００５】
すなわち、ＧＰＳにより算定した最新の移動体通信装置の位置に基づいて検索したサービス情報を提供するまでの間に移動体通信装置が移動している場合には、そのサービス情報にかかる店舗や施設などは既に通過してしまっている可能性があり、かかる店舗などを利用するにはＵターンの必要が生じ得ることなどから、移動体通信装置位置を十分に考慮したサービス情報を提供するものとはいえないという問題点があった。
【０００６】
そこで、この発明は、上述した従来技術の課題を解決するためになされたものであり、移動体通信装置の位置を十分に考慮した利便性の高いサービス情報を提供する情報提供システム、情報提供方法および情報提供プログラムを提供することを目的とする。
【課題を解決するための手段】
【０００７】
上述した課題を解決し、目的を達成するため、請求項１に係る発明は、移動体通信装置のナビ情報に基づいて、情報提供装置から当該移動体通信装置に対してサービス情報を提供する情報提供システムにおいて、前記移動体通信装置は、前記情報提供装置に対して前記ナビ情報を送信するナビ情報送信手段を備え、前記情報提供装置は、前記移動体通信装置から受信したナビ情報に基づいて把握されるルート上で、前記サービス情報を前記移動体通信装置が受信する時に、当該移動体通信装置が到達しているであろう予測位置を算定する予測位置算定手段と、前記予測位置算定手段により算定された予測位置に応じたサービス情報を検索するサービス情報検索手段と、前記サービス情報検索手段により検索されたサービス情報を前記移動体通信装置に送信するサービス情報送信手段と、を備えたことを特徴とする。
【０００８】
また、請求項２に係る発明は、上記の発明において、前記予測位置算定手段は、前記ナビ情報送信手段により前記移動体通信装置からナビ情報が送信されてから前記情報提供装置に受信されるまでに要する時間、前記サービス情報検索手段による前記サービス情報の検索に要する検索時間、前記サービス情報送信手段により当該情報提供装置から当該サービス情報が送信されてから当該移動体通信装置に受信されるまでに要する時間のいずれか一つまたは複数を考慮して前記予測位置を算定することを特徴とする。
【０００９】
また、請求項３に係る発明は、上記の発明において、前記予測位置算定手段は、前記サービス情報送信手段により前記移動体通信装置に送信した前記サービス情報の履歴を考慮して前記予測位置を算定することを特徴とする。
【００１０】
また、請求項４に係る発明は、上記の発明において、前記予測位置算定手段は、前記移動体通信装置から受信したナビ情報に基づいて把握されるルート上の予測位置の他に、当該ナビ情報に基づいて把握されるルートとは別ルート上の予測位置を算定し、前記サービス情報検索手段は、前記ルート上の予測位置に応じたサービス情報を検索する他に、前記別のルート上の予測位置に応じた当該サービス情報を検索し、前記サービス情報送信手段は、前記サービス情報検索手段により検索された各サービス情報を前記移動体通信装置に送信することを特徴とする。
【００１１】
また、請求項５に係る発明は、上記の発明において、第一の移動体通信装置のナビ情報に基づいて、第二の移動体通信装置から当該第一の移動体通信装置に対してサービス情報を提供する情報提供システムにおいて、前記第一の移動体通信装置は、前記第二の移動体通信装置に前記ナビ情報を送信するナビ情報送信手段と、前記第二の移動体通信装置から前記所定のサービス情報を受信するサービス情報受信手段とを備え、前記第二の移動体通信装置は、前記サービス情報を記憶するサービス情報記憶手段と、前記ナビ情報送信手段により前記第一の移動体通信装置から送信された前記ナビ情報を受信するナビ情報受信手段と、前記ナビ情報受信手段により前記第一の移動体通信装置から受信したナビ情報に基づいて把握されるルート上で、前記サービス情報受信手段により前記第一の移動体通信装置が前記サービス情報を受信する時に、当該第一の移動体通信装置が到達しているであろう予測位置を算定する予測位置算定手段と、前記予測位置算定手段により算定された予測位置に応じたサービス情報を前記サービス情報記憶手段に記憶されているサービス情報から検索するサービス情報検索手段と、前記サービス情報検索手段により検索されたサービス情報を前記第一の移動体通信装置に送信するサービス情報送信手段と、を備えたことを特徴とする。
【００１２】
また、請求項６に係る発明は、上記の発明において、前記サービス情報記憶手段は、各サービス情報のそれぞれに対応付けて公開を許可するかどうかを規定した公開許可情報をさらに記憶し、前記サービス情報検索手段は、前記サービス情報記憶手段に記憶されている公開を許可すると規定したサービス情報の中から前記予測位置、あるいは当該予測位置および前記限定要求に応じたサービス情報を検索することを特徴とする。
【００１３】
また、請求項７に係る発明は、上記の発明において、前記ナビ情報送信手段は、前記ナビ情報に変更があった場合に、当該変更に係るナビ情報を送信することを特徴とする。
【００１４】
また、請求項８に係る発明は、移動体通信装置のナビ情報に基づいて、当該移動体通信装置に対してサービス情報を提供する情報提供装置において、前記移動体通信装置から受信したナビ情報に基づいて把握されるルート上で、前記サービス情報を前記移動体通信装置が受信する時に、当該移動体通信装置が到達しているであろう予測位置を算定する予測位置算定手段と、前記予測位置算定手段により算定された予測位置に応じたサービス情報を検索するサービス情報検索手段と、前記サービス情報検索手段により検索されたサービス情報を前記移動体通信装置に送信するサービス情報送信手段と、を備えたことを特徴とする。
【００１５】
また、請求項９に係る発明は、移動体通信装置のナビ情報に基づいて、当該移動体通信装置に対してサービス情報を提供する方法をコンピュータに実行させる情報提供装置において、前記移動体通信装置から受信したナビ情報に基づいて把握されるルート上で、前記サービス情報を前記移動体通信装置が受信する時に、当該移動体通信装置が到達しているであろう予測位置を算定する予測位置算定手順と、前記予測位置算定手順により算定された予測位置に応じたサービス情報を検索するサービス情報検索手順と、前記サービス情報検索手順により検索されたサービス情報を前記移動体通信装置に送信するサービス情報送信手順と、をコンピュータに実行させることを特徴とする。信するサービス情報送信手順と、をコンピュータに実行させることを特徴とする。
【発明の効果】
【００１６】
請求項１の発明によれば、この情報提供システムは、移動体通信装置がサービス情報を受信する時に、移動体通信装置のナビ情報に基づいて把握されるルート上で、その移動体通信装置が到達していることが予測される予測位置を算定し、その予測位置に基づいて検索したサービス情報（例えば、店舗情報や交通情報、観光地情報など）を移動体通信装置に送信するので、例えば、移動体通信装置が既に通過してしまっている可能性のある店舗情報を情報提供装置（例えば、サービス情報を提供するセンタのサーバ）が検索して送信することはなく、移動体通信装置の位置を十分に考慮した利便性の高いサービス情報を提供することが可能となる。
【００１７】
また、請求項２の発明によれば、この情報提供システムは、移動体通信装置からナビ情報が送信されてから情報提供装置に受信されるまでに要する時間、情報提供装置におけるサービス情報の検索に要する時間、情報提供装置からサービス情報が送信されてから移動体通信装置に受信されるまでに要する時間のいずれか一つまたは複数を考慮して、移動体通信装置が到達していることが予測される予測位置を算定するので、移動体通信装置の予測位置をより精度よく算定することができ、移動体通信装置の位置をより的確に予測したサービス情報を提供することが可能となる。
【００１８】
また、請求項３の発明によれば、この情報提供システムは、以前移動体通信装置に送信したサービス情報の履歴を考慮して、移動体通信装置が到達していることが予測される予測位置を情報提供装置において算定するので、例えば、移動体通信装置から受信したナビ情報においてルートが設定されていない場合であっても、以前に移動体通信装置に対して送信したサービス情報の過去の履歴から、移動体通信装置が移動することが予測される予測位置を算定することができ、以前に送信したサービス情報における店舗の周辺にオープンした新たな店舗の情報などを提供することが可能となる。
【００１９】
また、請求項４の発明によれば、この情報提供システムは、移動体通信装置から受信したナビ情報から把握される移動予定のルート上で移動体通信装置が到達していることが予測される予測位置の他に、移動予定のルートとは別ルート上の予測位置を算定して、移動予定のルート上の予測位置に応じたサービス情報を検索する他に、別ルート上の予測位置に応じたサービス情報を検索して、移動体通信装置に各サービス情報を送信するので、例えば、移動予定のルート上に発生している渋滞を回避することができる別ルートが存在するような場合、あるいは、移動予定のルート近傍に景観を満喫することができる別ルートが存在するような場合には、移動予定のルート上の予測位置に応じて検索したサービス情報に加えて、別ルート上の予測位置に応じて検索したサービス情報を移動体通信装置に送信することができ、移動体通信装置の利便性をより考慮したサービス情報を提供することが可能となる。
【００２０】
また、請求項５の発明によれば、この情報提供システムは、この情報提供システムは、第一の移動体通信装置のナビ情報に基づいて把握されるルート上で、第一の移動体通信装置がサービス情報を受信する時に、第一の移動体通信装置が到達していることが予測される予測位置を第二の移動体通信装置が算定し、その予測位置に基づいて検索したサービス情報（例えば、店舗情報や交通情報、観光地情報など）を第二の移動体通信装置が第一の移動体通信装置に送信するので、例えば、第一の移動体通信装置が既に通過してしまっている可能性のある店舗情報を第二の移動体通信装置が検索して送信することはなく、また、情報提供装置を介さずに移動体通信装置間で、他の移動体通信装置の位置を十分に考慮した利便性の高いサービス情報を提供することが可能となる。
【００２１】
また、請求項６の発明によれば、この情報提供システムは、第二の移動体通信装置は各サービス情報のそれぞれに対応付けて公開を許可するかどうかを規定した公開許可情報をさらに記憶し、公開を許可するものと規定されたサービス情報の中から第一の移動体通信装置の予測位置、あるいは予測位置に加えて限定要求に応じたサービス情報を検索するので、第二の移動体通信装置は第一の移動体通信装置に公開を許可するサービス情報を決定することができ、第二の移動体通信装置は公開を許可するサービス情報のみを提供することが可能となる。
【００２２】
また、請求項７の発明によれば、この情報提供システムは、移動体通信装置あるいは第一の移動体通信装置のナビ情報に変更があった場合（例えば、ルートの変更や目的地の変更など）には、移動体通信装置あるいは第一の移動体通信装置は、変更したナビ情報を情報提供装置あるいは第二の移動体通信装置に送信するので、情報提供装置あるいは第二の移動体通信装置は、変更されたナビ情報を受信し、このナビ情報に基づいてサービス情報を再検索して送信することができ、移動体通信装置の位置を十分に考慮した利便性の高いサービス情報を迅速に提供することが可能となる。
【００２３】
また、請求項８または９の発明によれば、移動体通信装置がサービス情報を受信する時に、移動体通信装置のナビ情報に基づいて把握されるルート上で、その移動体通信装置が到達していることが予測される予測位置を算定し、その予測位置に基づいて検索したサービス情報（例えば、店舗情報や交通情報、観光地情報など）を移動体通信装置に送信するので、例えば、移動体通信装置が既に通過してしまっている可能性のある店舗情報を検索して送信することはなく、移動体通信装置の位置を十分に考慮した利便性の高いサービス情報を提供することが可能となる。
【発明を実施するための最良の形態】
【００２４】
以下に添付図面を参照して、この発明に係る情報提供システム、情報提供方法および情報提供プログラムの実施例を詳細に説明する。なお、以下では、実施例１に係る情報提供システムとして、本発明を移動体通信装置の機能を搭載した車両およびかかる車両にサービス情報を提供するセンタから構成されるシステムに適用した場合を説明した後に、本発明に含まれる他の実施例を説明する。
【実施例１】
【００２５】
以下の実施例１では、実施例１に係る情報提供システムの概要および特徴、情報提供システムを構成する移動体通信装置の構成、情報提供システムの処理の流れを順に説明し、最後に実施例１による効果を説明する。
【００２６】
［情報提供システムの概要および特徴（実施例１）］
まず最初に、図１を用いて、実施例１に係る情報提供システムの概要および特徴を説明する。図１は、実施例１に係る情報提供システムの概要および特徴を説明するための図である。
【００２７】
実施例１に係る情報提供システムは、移動体通信装置のナビ情報に基づいて、センタからかかる移動体通信装置に対してサービス情報（例えば、交通情報、店舗情報あるいは観光地情報など）を提供することを概要とするが、移動体通信装置の位置を十分に考慮した利便性の高いサービス情報を提供する点に主たる特徴がある。
【００２８】
この概要および特徴について具体的に説明すると、図１に示すように、この情報提供システムおいて、センタは、移動体通信装置に対して提供するためのサービス情報を予め記憶して保持している（例えば、各サービス情報Ａ，Ｂ，Ｃ，Ｄ，Ｅをそれぞれの位置（南１条付近，南３条付近，南２条付近）に対応付けて記憶して保持している）。そして、移動体通信装置は、センタに対してナビ情報（例えば、現在位置、移動方向、移動速度、出発地、目的地など）を送信する（図１の（１）参照）。続いて、センタは、移動体通信装置から送信されたナビ情報を受信すると（図１の（２）参照）、かかるナビ情報に基づいて、移動体通信装置の予測位置を算定する（図１の（３）参照）。
【００２９】
具体的には、かかるナビ情報から把握される移動体通信装置の移動予定ルート上で、移動体通信装置がセンタからサービス情報を受信する時に（つまり、移動体通信装置からナビ情報が送信されてからセンタに受信されるまでに要する時間、センタにおいてサービス情報の検索に要する時間、センタから送信されたサービス情報が移動体通信装置に受信されるまでに要する時間が経過するまでの間に）、その移動予定ルート上において到達していることが予測される予測位置（例えば、南３条付近）を算定する。
【００３０】
予測位置の算定後、センタは、記憶しているサービス情報から算定した予測位置に応じたサービス情報（例えば、ＣおよびＤ）を検索する（図１の（４）参照）。そして、センタは、検索したサービス情報を移動体通信装置に対して送信し（図１の（５）参照）、移動体通信装置は、センタからサービス情報を受信する（図１の（６）参照）。
【００３１】
このようなことから、実施例１に係る情報システムでは、例えば、移動体通信装置が既に通過してしまっている可能性のある店舗情報をセンタが検索して送信することはなく、上記した主たる特徴の如く、移動体通信装置位置を十分に考慮した利便性の高いサービス情報を提供することが可能となる。
【００３２】
［センタおよび移動体通信装置の構成（実施例１）］
次に、図２〜図４を用いて、図１に示したセンタ１０および移動体通信装置３０の構成を説明する。図２は、実施例１に係るセンタ１０の構成を示すブロック図であり、図３は、実施例１に係る移動体通信装置３０の構成を示すブロック図であり、図４は、実施例１に係るセンタ１０のサービス情報記憶部１２ａに記憶されている情報の構成例を示す図である。
【００３３】
まず最初に、実施例１に係るセンタ１０の構成を説明する。図２に示すように、このセンタ１０は、通信制御ＩＦ部１１と、記憶部１２と、制御部１３とから構成される。
【００３４】
このうち、通信制御ＩＦ部１１は、ネットワーク１を介して移動体通信装置３０との間でやり取りする各種情報に関する通信を制御する手段である。具体的には、通信制御ＩＦ部１１は、ネットワーク１を介して移動体通信装置３０から送信されてきたナビ情報（例えば、現在位置、移動方向、移動速度、出発地や目的地など）の受信（後述するナビ情報受信部１３ａによる処理）や、ネットワーク１を介してセンタ１０から移動体通信措置３０へのサービス情報の送信（後述するサービス情報送信部１３ｄによる処理）などを制御する。
【００３５】
記憶部１２は、制御部１３による各種処理に必要な所定のデータおよびプログラムを格納する格納手段（記憶手段）であり、特に本発明に密接に関連するものとしては、サービス情報記憶部１２ａを備える。
【００３６】
このサービス情報記憶部１２ａは、移動体通信装置３０に送信する各種サービス情報（例えば、交通情報、店舗情報あるいは観光地情報など）を記憶する手段である。具体的には、図４に例示するように、住所などの位置（例えば、中央区南１条〜南３条付近）に対応付けて、サービス情報（例えば、Ａ，Ｂ，Ｃ，Ｄ，Ｅ）を記憶して構成される。
【００３７】
制御部１３は、所定の制御プログラム、各種の処理手順などを規定したプログラムおよび所要データを格納するための内部メモリを有し、これらによって種々の処理を実行する処理部であり、特に本発明に密接に関連するものとしては、ナビ情報受信部１３ａと、予測位置算定部１３ｂと、サービス情報検索部１３ｃと、サービス情報送信部１３ｄとを備える。なお、予測位置算定部１３ｂは、特許請求の範囲に記載の「予測位置算定手段」に対応し、サービス情報検索部１３ｃは同じく「サービス情報検索手段」に対応し、サービス情報送信部１３ｄは同じく「サービス情報送信手段」に対応する。
【００３８】
このうち、ナビ情報受信部１３ａは、ネットワーク１を介して移動体通信装置３０から送信されたナビ情報を受信する処理部である。具体的には、ナビ情報受信部１３ａは、ネットワーク１を介して移動体通信装置３０から送信されたナビ情報を通信制御ＩＦ部１１から受信すると、そのナビ情報を予測位置算定部１３ｂに対して出力する。
【００３９】
予測位置算定部１３ｂは、ナビ情報受信部１３ａから出力されたナビ情報を受け付けて、そのナビ情報に基づいて、移動体通信装置３０の予測位置を算定する処理部である。具体的には、予測位置算定部１３ｂは、ナビ情報受信部１３ａから受け付けたナビ情報から把握される移動体通信装置３０の移動予定ルート上で、移動体通信装置３０が後述するサービス情報送信部１３ｄから送信されたサービス情報を受信する時に（つまり、移動体通信装置３０からナビ情報が送信されてからナビ情報受信部１３ａに受信されるまでに要する時間、サービス情報検索部１３ｃによるサービス情報の検索に要する時間、サービス情報送信部１３ｄから送信されたサービス情報が移動体通信装置３０に受信されるまでに要する時間が経過するまでに）、その移動予定ルート上において到達していることが予測される予測位置（例えば、南３条付近）を算定する。そして、予測位置算定部１３ｂは、算定した予測位置をサービス情報検索部１３ｃに対して出力する。
【００４０】
サービス情報検索部１３ｃは、予測位置算定部１３ｂから出力された予測位置を受け付けて、その予測位置に応じたサービス情報を検索する処理部である。具体的には、サービス情報検索部１３ｃは、サービス情報記憶部１２ａに記憶されているサービス情報（図４参照）の中から、予測位置算定部１３ｂから受け付けた予測位置（例えば、南３条付近）に応じたサービス情報（例えば、Ｃ，Ｄ）を検索する。そして、サービス情報検索部１３ｃは、検索したサービス情報をサービス情報送信部１３ｄに対して出力する。
【００４１】
サービス情報送信部１３ｄは、サービス情報検索部１３ｃから出力されたサービス情報を受け付けて、そのサービス情報を移動体通信装置３０に送信する処理部である。具体的には、サービス情報送信部１３ｄは、サービス情報検索部１３ｃから受け付けたサービス情報（例えば、Ｃ，Ｄ）を通信制御ＩＦ部１１からネットワーク１を介して移動体通信装置３０に送信する。
【００４２】
続いて、図３を用いて、実施例１に係る移動体通信装置３０の構成を説明する。同図に示すように、この移動体通信装置３０は、ディスプレイ２２およびスピーカ２３に接続されたナビゲーション装置２１に所定のバス４０で接続され、通信制御ＩＦ部３１、記憶部３２および制御部３３から構成される。
【００４３】
このうち、ナビゲーション装置２１は、自車両の走行経路の設定および誘導を行なう装置である。具体的には、ナビゲーション装置２１は、後述するナビ情報送信部３３ａからの指令を受け付けてナビ情報（例えば、現在位置、移動方向、移動速度、出発地や目的地など）をナビ情報送信部３３ａに対して出力する。また、例えば、ナビゲーション装置２１は、ＧＰＳ（Global Positioning System）によって自車両の現在位置（位置情報）を取得し、所定のデータ（例えば、地図データ等）を用いて自車両が走行している道路を特定し、ディスプレイ２２やスピーカ２３を用いて経路誘導を実行する。
【００４４】
ディスプレイ２２は、ユーザからの入力を受け付ける入力手段およびユーザに所定の情報を提供する出力手段であり、具体的には、センタ１０から受信したサービス情報を後述するサービス情報受信部３３ｂから受け付けて表示する、あるいは、ナビゲーション装置２１から受け付けた情報を自動的にユーザに提供する。また、ディスプレイ２２の表示部前面には透明のタッチパネルが配置され、表示部に表示された操作画像と協働した入力手段を構成し、このタッチパネルを介してユーザからナビ情報の送信指示を受け付ける。また、スピーカ１２はユーザに情報の報知を行う出力手段である。具体的には、センタ１０からのサービス情報の受信をユーザに報知する。
【００４５】
移動体通信装置３０の通信制御ＩＦ部３１は、ネットワーク１を介してセンタ１０との間でやり取りする各種情報に関する通信を制御する手段である。具体的には、通信制御ＩＦ部３１は、ネットワーク１を介してセンタ１０から送信されてきたサービス情報（例えば、交通情報、店舗情報あるいは観光地情報など）の受信（後述するサービス情報受信部３３ｂによる処理）や、ネットワーク１を介して移動体通信措置３０からセンタ１０へのナビ情報の送信（後述するナビ情報送信部３３ａによる処理）などを制御する。
【００４６】
移動体通信装置３０の記憶部３２は、制御部３３による各種処理に必要な所定のデータおよびプログラムを格納する格納手段（記憶手段）であり、特に本発明に密接に関連するものとしては、サービス情報記憶部３３ａを備える。
【００４７】
このサービス情報記憶部３３ａは、センタ１０から受信した各種サービス情報（例えば、交通情報、店舗情報あるいは観光地情報など）を記憶する手段である。具体的には、ネットワーク１を介してセンタ１０から受信したサービス情報をサービス情報受信部３３ｂから受け付けて格納する。
【００４８】
制御部３３は、携帯電話端末やＰＨＳ（Personal Handy phone System）等の機能を利用し、基地局あるいは中継局等のネットワークを介してセンタ（例えば、種々の情報を提供するセンタに設置されたサーバ装置等）との間で行う通信を制御する制御手段であって、所定の制御プログラム、各種の処理手順などを規定したプログラムおよび所要データを格納するための内部メモリを有し、これらによって種々の処理を実行する処理部であり、特に本発明に密接に関連するものとしては、ナビ情報送信部３３ａとサービス情報受信部３３ｄとを備える。なお、ナビ情報送信部３３ａは、特許請求の範囲に記載の「ナビ情報送信手段」に対応する。
【００４９】
このうち、ナビ情報送信部３３ａは、センタ１０に対してナビ情報を送信する処理部である。具体的には、ナビ情報送信部３３ａは、ディスプレイ２２に配置されたタッチパネルを介してユーザからナビ情報の送信指示を受け付けると、ナビゲーション装置２１にナビ情報を要求する指令を送り、この指令を受け付けたナビゲーション装置２１から出力されたナビ情報を受け付けて、ナビ情報送信部３３ａは、通信制御ＩＦ部３１からネットワーク１を介してセンタ１０にナビ情報を送信する。
【００５０】
サービス情報受信部３３ｂは、ネットワーク１を介してセンタ１０から送信されたサービス情報を受信する処理部である。具体的には、サービス情報受信部３３ｂは、ネットワーク１を介してセンタ１０から送信されたナビ情報を通信制御ＩＦ部１１から受信すると、例えば、そのサービス情報をディスプレイ２２に対して出力する。
【００５１】
［情報提供システムによる処理（実施例１）］
次に、図５を用いて、実施例１に係る情報提供システムによる処理の流れを説明する。図５は、実施例１に係る情報提供システムの処理の流れを示す図である。
【００５２】
同図に示すように、移動体通信装置３０のナビ情報送信部３３ａは、ユーザからナビ情報の送信指示を受け付けると（ステップＳ５０１肯定）、ナビゲーション装置２１から出力されたナビ情報を受け付けて、センタ１０に対してナビ情報を送信する（ステップＳ５０２）。
【００５３】
センタ１０のナビ情報受信部１３ａは、移動体通信装置３０から送信されたナビ情報を受信すると（ステップＳ５０３）、センタ１０の予測位置算定部１３ｂは、ナビ情報受信部１３ａから出力されたナビ情報を受け付けて、移動体通信装置３０の予測位置を算定する（ステップＳ５０４）。
【００５４】
具体的には、予測位置算定部１３ｂは、ナビ情報受信部１３ａから受け付けたナビ情報から把握される移動体通信装置３０の移動予定ルート上で、移動体通信装置３０がサービス情報送信部１３ｄから送信されたサービス情報を受信する時に（つまり、移動体通信装置３０からナビ情報が送信されてからナビ情報受信部１３ａに受信されるまでに要する時間、サービス情報検索部１３ｃによるサービス情報の検索に要する時間、サービス情報送信部１３ｄから送信されたサービス情報が移動体通信装置３０に受信されるまでに要する時間が経過するまでに）、その移動予定ルート上において到達していることが予測される予測位置（例えば、南３条付近）を算定する。
【００５５】
続いて、センタ１０のサービス情報検索部１３ｃは、予測位置算定部１３ｂから出力された予測位置を受け付けて、その予測位置に応じてサービス情報を検索する（ステップＳ５０５）。具体的には、サービス情報検索部１３ｃは、サービス情報記憶部１２ａに記憶されているサービス情報（図４参照）の中から、予測位置算定部１３ｂから受け付けた予測位置（例えば、南３条付近）に応じたサービス情報（例えば、Ｃ，Ｄ）を検索する。
【００５６】
そして、センタ１０のサービス情報送信部１３ｄは、サービス情報検索部１３ｃから出力されたサービス情報を受け付けて、そのサービス情報を移動体通信装置３０に対して送信する（ステップＳ５０６）。
【００５７】
移動体通信装置３０のサービス情報受信部３３ｂは、センタ１０から送信されたサービス情報を受信する（ステップＳ５０７）。続いて、サービス情報受信部３３ｂは、例えば、そのサービス情報をディスプレイ２２に対して出力する（ステップＳ５０８）。
【００５８】
［実施例１の効果］
上述してきたように、実施例１に係る情報提供システムは、移動体通信装置がサービス情報を受信する時に、移動体通信装置のナビ情報に基づいて把握されるルート上で、その移動体通信装置が到達していることが予測される予測位置を算定し、その予測位置に基づいて検索したサービス情報（例えば、店舗情報や交通情報、観光地情報など）を移動体通信装置に送信するので、例えば、移動体通信装置が既に通過してしまっている可能性のある店舗情報をセンタが検索して送信することはなく、移動体通信装置の位置を十分に考慮した利便性の高いサービス情報を提供することが可能となる。
【００５９】
また、実施例１によれば、移動体通信装置の現在位置、移動方向、移動速度、出発地、目的地のいずれか一つまたは複数に基づいて、その移動体通信装置が到達していることが予測される予測位置を算定するので、移動体通信装置の予測位置を精度よく算定することができ、移動体通信装置の位置を的確に予測した利便性の高いサービス情報を提供することが可能となる。
【００６０】
また、実施例１によれば、この情報提供システムは、移動体通信装置からナビ情報が送信されてからセンタに受信されるまでに要する時間、センタにおけるサービス情報の検索に要する時間、センタからサービス情報が送信されてから移動体通信装置に受信されるまでに要する時間のいずれか一つまたは複数を考慮して、移動体通信装置が到達していることが予測される予測位置を算定するので、移動体通信装置の予測位置をより精度よく算定することができ、移動体通信装置の位置をより的確に予測したサービス情報を提供することが可能となる。
【実施例２】
【００６１】
ところで、上記の実施例１では、本発明を移動体通信装置の機能を搭載した車両およびかかる車両にサービス情報を提供するセンタから構成されるシステムに適用した場合を説明したが、本発明はこれに限定されるものではなく、移動体通信装置の機能を搭載した車両間で構成されるシステムに適用するようにしてもよい。そこで、以下の実施例２では、この場合の情報提供システムについて説明する。
【００６２】
以下の実施例２では、実施例２に係る情報提供システムの概要および特徴、情報提供システムを構成する移動体通信装置の構成、情報提供システムの処理の流れを順に説明し、最後に実施例２による効果を説明する。
【００６３】
［情報提供システムの概要および特徴（実施例２）］
まず最初に、図６を用いて、実施例２に係る情報提供システムの概要および特徴を説明する。図６は、実施例２に係る情報提供システムの概要および特徴を説明するための図である。
【００６４】
実施例２に係る情報提供システムは、第一の移動体通信装置のナビ情報に基づいて、第二の移動体通信装置から第一の移動体通信装置に対してサービス情報（例えば、交通情報、店舗情報あるいは観光地情報など）を提供することを概要とするが、センタを介さずに移動体通信装置間で、他の移動体通信装置の位置を十分に考慮した利便性の高いサービス情報を提供する点に主たる特徴がある。
【００６５】
この概要および特徴について具体的に説明すると、図６に示すように、この情報提供システムおいて、第二の移動体通信装置は、第一の移動体通信装置に対して提供するためのサービス情報を予め記憶して保持している（例えば、各サービス情報Ａ，Ｂ，Ｃ，Ｄ，Ｅをそれぞれの位置（南１条付近，南３条付近，南２条付近）に対応付けて記憶して保持している）。そして、第一の移動体通信装置は、第二の移動体通信装置に対してナビ情報（例えば、現在位置、移動方向、移動速度、出発地、目的地など）を送信する（図６の（１）参照）。続いて、第二の移動体通信装置は、第一の移動体通信装置から送信されたナビ情報を受信すると（図６の（２）参照）、かかるナビ情報に基づいて、第一の移動体通信装置の予測位置を算定する（図６の（３）参照）。
【００６６】
具体的には、かかるナビ情報から把握される第一の移動体通信装置の移動予定ルート上で、第一の移動体通信装置が第二の移動体通信装置からサービス情報を受信する時に（つまり、第一の移動体通信装置からナビ情報が送信されてから第二の移動体通信装置に受信されるまでに要する時間、第二の移動体通信装置においてサービス情報の検索に要する時間、第二の移動体通信装置から送信されたサービス情報が第一の移動体通信装置に受信されるまでに要する時間が経過するまでの間に）、その移動予定ルート上において到達していることが予測される予測位置（例えば、南３条付近）を算定する。
【００６７】
予測位置の算定後、第二の移動体通信装置は、記憶しているサービス情報から算定した予測位置に応じたサービス情報（例えば、ＣおよびＤ）を検索する（図６の（４）参照）。そして、第二の移動体通信装置は、検索したサービス情報を第一の移動体通信装置に対して送信し（図６の（５）参照）、第一の移動体通信装置は、第二の移動体通信装置からサービス情報を受信する（図６の（６）参照）。
【００６８】
このようなことから、実施例２に係る情報システムでは、例えば、第一の移動体通信装置が既に通過してしまっている可能性のある店舗情報を第二の移動体通信装置が検索して送信することはなく、上記した主たる特徴の如く、センタを介さずに移動体通信装置間で、他の移動体通信装置位置を十分に考慮した利便性の高いサービス情報を提供することが可能となる。
【００６９】
［移動体通信装置の構成（実施例２）］
次に、図７を用いて、図６に示した移動体通信装置５０の構成を説明する。図７は、実施例２に係る移動体通信装置５０の構成を示すブロック図である。同図に示すように、この移動体通信装置５０は、ディスプレイ２２およびスピーカ２３に接続されたナビゲーション装置２１に所定のバス４０で接続され、通信制御ＩＦ部５１、記憶部５２および制御部５３から構成される。
【００７０】
このうち、ナビゲーション装置２１は、自車両の走行経路の設定および誘導を行なう装置である。具体的には、ナビゲーション装置２１は、例えば、ナビゲーション装置２１は、ＧＰＳ（Global Positioning System）によって自車両の現在位置（位置情報）を取得し、所定のデータ（例えば、地図データ等）を用いて自車両が走行している道路を特定し、ディスプレイ２２やスピーカ２３を用いて経路誘導を実行する。また、ナビゲーション装置２１は、後述するナビ情報送信部５３ａからの指令を受け付けてナビ情報（例えば、現在位置、移動方向、移動速度、出発地や目的地など）をナビ情報送信部５３ａに対して出力する。
【００７１】
ディスプレイ２２は、ユーザからの入力を受け付ける入力手段およびユーザに所定の情報を提供する出力手段であり、具体的には、他の移動体通信装置から受信したサービス情報を後述するサービス情報受信部５３ｃから受け付けて表示する、あるいは、ナビゲーション装置２１から受け付けた情報を自動的にユーザに提供する。また、ディスプレイ２２の表示部前面には透明のタッチパネルが配置され、表示部に表示された操作画像と協働した入力手段を構成し、このタッチパネルを介してユーザからナビ情報の送信指示を受け付ける。また、スピーカ１２はユーザに情報の報知を行う出力手段である。具体的には、他の移動体通信装置からのサービス情報の受信をユーザに報知する。
【００７２】
通信制御ＩＦ部３１は、他の移動体通信装置との間でやり取りする各種情報に関する通信を制御する手段である。具体的には、通信制御ＩＦ部３１は、他の移動体通信装置から送信されてきたサービス情報（例えば、交通情報、店舗情報あるいは観光地情報など）の受信（後述するサービス情報受信部３３ｂによる処理）や、他の移動体移動体通信措置へのナビ情報の送信（後述するナビ情報送信部３３ａによる処理）、他の移動体通信装置から送信されてきたナビ情報（例えば、現在位置、移動方向、移動速度、出発地や目的地など）の受信や、他の移後述するサービス情報送信部１３ｄによる処理）などを制御する。
【００７３】
記憶部５２は、制御部５３による各種処理に必要な所定のデータおよびプログラムを格納する格納手段（記憶手段）であり、特に本発明に密接に関連するものとしては、サービス情報記憶部５２ａを備える。なお、サービス情報記憶部５２ａは、特許請求の範囲に記載の「サービス情報記憶手段」に対応する。
【００７４】
このサービス情報記憶部５２ａは、他の移動体通信装置に送信する各種サービス情報（例えば、交通情報、店舗情報あるいは観光地情報など）を記憶する手段である。具体的には、例えば、住所などの位置（例えば、中央区南１条〜南３条付近）に対応付けて、サービス情報（例えば、Ａ，Ｂ，Ｃ，Ｄ，Ｅ）を記憶して構成される。
【００７５】
制御部５３は、携帯電話端末やＰＨＳ（Personal Handy phone System）等の機能を利用し、基地局あるいは中継局等のネットワークを介して他の移動体通信装置との間やセンタ（例えば、種々の情報を提供するセンタに設置されたサーバ装置等）との間、あるいは、ブルートゥース（Bluetooth）や赤外線通信等の機能を利用し、ネットワークを介さずに、他の移動体通信装置との間やセンタとの間で行う通信を制御する制御手段であって、所定の制御プログラム、各種の処理手順などを規定したプログラムおよび所要データを格納するための内部メモリを有し、これらによって種々の処理を実行する処理部である。
【００７６】
特に本発明に密接に関連するものとしては、ナビ情報送信部５３ａと、サービス情報受信部５３ｂと、ナビ情報受信部５３ｃと、予測位置算定部５３ｄと、サービス情報検索部５３ｅと、サービス情報送信部５３ｆとを備える。なお、ナビ情報送信部５３ａは、特許請求の範囲に記載の「ナビ情報送信手段」に対応し、サービス情報受信部５３ｂはおなじく「サービス情報受信手段」に対応し、ナビ情報受信部５３ｃは同じく「ナビ情報受信手段」に対応し、予測位置算定部５３ｄは同じく「予測位置算定手段」に対応し、サービス情報検索部５４ｅは同じく「サービス情報検索手段」に対応し、サービス情報送信部１３ｆは同じく「サービス情報送信手段」に対応する。
【００７７】
このうち、ナビ情報送信部５３ａは、他の移動体通信装置に対してナビ情報を送信する処理部である。具体的には、ナビ情報送信部５３ａは、ディスプレイ２２に配置されたタッチパネルを介してユーザからナビ情報の送信指示を受け付けると、ナビゲーション装置２１にナビ情報を要求する指令を送り、この指令を受け付けたナビゲーション装置２１から出力されたナビ情報を受け付けて、ナビ情報送信部５３ａは、通信制御ＩＦ部５１から他の移動体通信装置にナビ情報を送信する。
【００７８】
ナビ情報受信部５３ｃは、他の移動体通信装置から送信されたナビ情報を受信する処理部である。具体的には、ナビ情報受信部５３ｃは、他の移動体通信装置から送信されたナビ情報を通信制御ＩＦ部５１から受信すると、そのナビ情報を予測位置算定部５３ｄに対して出力する。
【００７９】
予測位置算定部５３ｄは、ナビ情報受信部５３ｃから出力されたナビ情報を受け付けて、そのナビ情報に基づいて、他の移動体通信装置の予測位置を算定する処理部である。具体的には、予測位置算定部５３ｄは、ナビ情報受信部５３ｃから受け付けたナビ情報から把握される他の移動体通信装置の移動予定ルート上で、他の移動体通信装置が後述するサービス情報送信部５３ｆから送信されたサービス情報を受信する時に（つまり、他の移動体通信装置からナビ情報が送信されてからナビ情報受信部５３ｃに受信されるまでに要する時間、サービス情報検索部５３ｅによるサービス情報の検索に要する時間、サービス情報送信部５３ｆから送信されたサービス情報が他の移動体通信装置に受信されるまでに要する時間が経過するまでに）、その移動予定ルート上において到達していることが予測される予測位置（例えば、南３条付近）を算定する。そして、予測位置算定部５３ｄは、算定した予測位置をサービス情報検索部５３ｅに対して出力する。
【００８０】
サービス情報検索部５３ｅは、予測位置算定部５３ｄから出力された予測位置を受け付けて、その予測位置に応じたサービス情報を検索する処理部である。具体的には、サービス情報検索部５３ｅは、サービス情報記憶部５２ａに記憶されているサービス情報の中から、予測位置算定部５３ｄから受け付けた予測位置（例えば、南３条付近）に応じたサービス情報（例えば、Ｃ，Ｄ）を検索する。そして、サービス情報検索部５３ｅは、検索したサービス情報をサービス情報送信部５３ｆに対して出力する。
【００８１】
サービス情報送信部５３ｆは、サービス情報検索部５３ｅから出力されたサービス情報を受け付けて、そのサービス情報を他の移動体通信装置に送信する処理部である。具体的には、サービス情報送信部５３ｆは、サービス情報検索部５３ｅから受け付けたサービス情報（例えば、Ｃ，Ｄ）を通信制御ＩＦ部５１から他の移動体通信装置に送信する。
【００８２】
サービス情報受信部５３ｂは、他の移動体通信装置から送信されたサービス情報を受信する処理部である。具体的には、サービス情報受信部５３ｂは、他の移動体通信装置から送信されたナビ情報を通信制御ＩＦ部５１から受信すると、例えば、そのサービス情報をディスプレイ２２に対して出力する。
【００８３】
［情報提供システムによる処理（実施例２）］
次に、図８を用いて、実施例２に係る情報提供システムによる処理の流れを説明する。図８は、実施例２に係る情報提供システムの処理の流れを示す図である。
【００８４】
同図に示すように、第一の移動体通信装置５０のナビ情報送信部５３ａは、ユーザからナビ情報の送信指示を受け付けると（ステップＳ８０１肯定）、ナビゲーション装置２１から出力されたナビ情報を受け付けて、第二の移動体通信装置５０に対してナビ情報を送信する（ステップＳ８０２）。
【００８５】
第二の移動体通信装置５０のナビ情報受信部５３ｃは、第一の移動体通信装置５０から送信されたナビ情報を受信すると（ステップＳ８０３）、第二の移動体通信装置５０の予測位置算定部５３ｄは、ナビ情報受信部５３ｃから出力されたナビ情報を受け付けて、第一の移動体通信装置５０の予測位置を算定する（ステップＳ８０４）。
【００８６】
具体的には、予測位置算定部５３ｄは、ナビ情報受信部５３ｃから受け付けたナビ情報から把握される第一の移動体通信装置５０の移動予定ルート上で、第一の移動体通信装置５０がサービス情報送信部５３ｆから送信されたサービス情報を受信する時に（つまり、第一の移動体通信装置５０からナビ情報が送信されてから第二の移動体通信装置５０のナビ情報受信部５３ｃに受信されるまでに要する時間、第二の移動体通信装置５０のサービス情報検索部５３ｅによるサービス情報の検索に要する時間、第二の移動体通信装置５０サービス情報送信部１３ｄから送信されたサービス情報が第一の移動体通信装置５０に受信されるまでに要する時間が経過するまでに）、その移動予定ルート上において到達していることが予測される予測位置（例えば、南３条付近）を算定する。
【００８７】
続いて、第二の移動体通信装置５０のサービス情報検索部５３ｅは、予測位置算定部５３ｄから出力された予測位置を受け付けて、その予測位置に応じてサービス情報を検索する（ステップＳ８０５）。具体的には、サービス情報検索部５３ｅは、サービス情報記憶部５２ａに記憶されているサービス情報の中から、予測位置算定部５３ｄから受け付けた予測位置（例えば、南３条付近）に応じたサービス情報（例えば、Ｃ，Ｄ）を検索する。
【００８８】
そして、第二の移動体通信装置５０のサービス情報送信部５３ｆは、サービス情報検索部５３ｅから出力されたサービス情報を受け付けて、そのサービス情報を第一の移動体通信装置５０に対して送信する（ステップＳ８０６）。
【００８９】
第一の移動体通信装置５０のサービス情報受信部５３ｂは、第二の移動体通信装置５０から送信されたサービス情報を受信する（ステップＳ８０７）。続いて、サービス情報受信部５３ｂは、例えば、そのサービス情報をディスプレイ２２に対して出力する（ステップＳ８０８）。
【００９０】
［実施例２の効果］
上述してきたように、実施例２に係る情報提供システムは、この情報提供システムは、第一の移動体通信装置のナビ情報に基づいて把握されるルート上で、第一の移動体通信装置がサービス情報を受信する時に、第一の移動体通信装置が到達していることが予測される予測位置を第二の移動体通信装置が算定し、その予測位置に基づいて検索したサービス情報（例えば、店舗情報や交通情報、観光地情報など）を第二の移動体通信装置が第一の移動体通信装置に送信するので、例えば、第一の移動体通信装置が既に通過してしまっている可能性のある店舗情報を第二の移動体通信装置が検索して送信することはなく、また、センタを介さずに移動体通信装置間で、他の移動体通信装置の位置を十分に考慮した利便性の高いサービス情報を提供することが可能となる。
【実施例３】
【００９１】
さて、これまで本発明の実施例１および２について説明したが、本発明は上述した実施例以外にも、種々の異なる形態にて実施されてよいものである。そこで、以下では、本発明に含まれる他の実施例を説明する。
【００９２】
（１）サービス情報の送信履歴に基づいて予測位置算定
上記の実施例１では、移動体通信装置から受信したナビ情報に基づいて、移動体通信装置が到達していることが予測される予測位置を算定する場合を説明したが、本発明はこれに限定されるものではなく、以前に送信したサービス情報の履歴に基づいて予測位置を算定するようにしてもよい。
【００９３】
これにより、この情報提供システムは、以前移動体通信装置に送信したサービス情報の履歴を考慮して、移動体通信装置が到達していることが予測される予測位置をセンタにおいて算定するので、例えば、移動体通信装置から受信したナビ情報においてルートが設定されていない場合であっても、以前に移動体通信装置に対して送信したサービス情報の過去の履歴から、移動体通信装置が移動することが予測される予測位置を算定することができ、以前に送信したサービス情報にかかる店舗の周辺にオープンした新たな店舗の情報などを提供することが可能となる。
【００９４】
（２）サービス情報として検索を所望する検索対象を特定する限定要求
また、上記の実施例では、移動体通信装置が到達していることが予測される予測位置に応じたサービス情報を検索する場合を説明したが、本発明はこれに限定されるものではなく、移動体通信装置の予測位置に応じたサービス情報を検索するだけでなく、サービス情報として検索を所望する検索対象を特定する限定要求に応じたサービス情報を検索するようにしてもよい。具体的には、例えば、図９に例示するように、上記の実施例で説明したサービス情報記憶部は、サービス情報（例えば、Ａ，Ｂ，Ｃ，Ｄ，Ｅ）に住所などの位置（例えば、中央区南１条〜南３条付近）をそれぞれ対応づけるだけでなく、さらにジャンル（例えば、イタリアン、フレンチ、中華など）をそれぞれ対応付けて記憶して構成され、上記の実施例で説明したサービス情報検索部は、予測位置（住所など）だけでなく限定要求（料理のジャンルなど）に応じたサービス情報を検索する。
【００９５】
これにより、この情報提供システムは、移動体通信装置のナビ情報から把握される予測位置に応じたサービス情報を検索する他に、サービス情報として検索を所望する検索対象を特定する限定要求に応じたサービス情報を検索するので、例えば、料理の種類や値段、ランチタイムやディナ−タイムなどの時間帯、駐車場の有無などに合わせた店舗情報を検索することができ、移動体通信装置のニーズにより適したサービス情報を提供することが可能となる。
【００９６】
また、この情報提供システムは、第一の移動体通信装置のナビ情報から把握される予測位置に応じたサービス情報を検索する他に、サービス情報として検索を所望する検索対象を特定する限定要求に応じたサービス情報を検索するので、例えば、料理の種類や値段、ランチタイムやディナ−タイムなどの時間帯、駐車場の有無などに合わせた店舗情報を検索することができ、センタを介さずに移動体通信装置間で、第一の移動体通信装置のニーズにより適したサービス情報を提供することが可能となる。
【００９７】
（３）移動予定のルートとは別ルート上のサービス情報を提供
また、上記の実施例１では、移動体通信装置から受信したナビ情報に基づいて把握されるルート上の予測位置に応じたサービス情報を検索する場合を説明したが、本発明はこれに限定されるものではなく、ナビ情報から把握される移動予定のルートとは別ルート上の予測位置に応じたサービス情報を検索して提供するようにしてもよい。
【００９８】
これにより、この情報提供システムは、移動体通信装置から受信したナビ情報から把握される移動予定のルート上で移動体通信装置が到達していることが予測される予測位置の他に、移動予定のルートとは別ルート上の予測位置を算定して、移動予定のルート上の予測位置に応じたサービス情報を検索する他に、別ルート上の予測位置に応じたサービス情報を検索して、移動体通信装置にこれらの各サービス情報を送信するので、例えば、移動予定のルート上に発生している渋滞を回避することができる別ルートが存在するような場合、あるいは、移動予定のルート近傍に景観を満喫することができる別ルートが存在するような場合には、移動予定のルート上の予測位置に応じて検索したサービス情報に加えて、別ルート上の予測位置に応じて検索したサービス情報を移動体通信装置に送信することができ、移動体通信装置の利便性をより考慮したサービス情報を提供することが可能となる。
【００９９】
（４）サービス情報に対応付けて公開許可情報を規定
また、上記の実施例２では、第一の移動体通信装置から受信したナビ情報に基づいて、第二の移動体通信装置が第一の移動体通信装置に対して常にサービス情報を提供する場合を説明したが、本発明はこれに限定されるものではなく、第一の移動体通信装置に対して公開を許可するサービス情報のみを提供するようにしてもよい。具体的には、例えば、図１０に例示するように、上記の実施例で説明したサービス情報記憶部は、サービス情報（例えば、Ａ，Ｂ，Ｃ，Ｄ，Ｅ）に住所などの位置（例えば、中央区南１条〜南３条付近）をそれぞれ対応づけるだけでなく、さらに公開を許可するかどうかの公開許可情報（例えば、公開許可、公開不許可など）をそれぞれ対応付けて記憶して構成され、上記の実施例で説明したサービス情報検索部は、公開許可を許可するものと規定されたサービス情報の中から第一の移動体通信装置の予測位置などに応じたサービス情報を検索する。
【０１００】
これにより、この情報提供システムは、第二の移動体通信装置は各サービス情報のそれぞれに対応付けて公開を許可するかどうかを規定した公開許可情報をさらに記憶し、公開を許可するものと規定されたサービス情報の中から第一の移動体通信装置の予測位置、あるいは予測位置に加えて限定要求に応じたサービス情報を検索するので、第二の移動体通信装置は第一の移動体通信装置に公開を許可するサービス情報を決定することができ、第二の移動体通信装置は公開を許可するサービス情報のみを送信することが可能となる。
【０１０１】
（５）サービス情報の通信傍受
また、上記の実施例２において、他の移動体通信装置宛に送信されたサービス情報を傍受して、自己に必要なサービス情報を得るようにしてもよい。これにより、この情報提供システムは、第二の移動体通信装置から第三の移動体通信装置に対して送信されたサービス情報を第一の移動体通信装置が受信するので、自己宛ではないサービス情報も受信することができ、自己にとって有益な情報を積極的に得ることが可能となる。
【０１０２】
（６）ナビ情報の変更された場合に変更に係るナビ情報を送信
また、上記の実施例において、移動体通信装置のナビ情報に変更があった場合には、移動体通信装置はその変更に係るナビ情報を送信するようにしてもよい。これにより、この情報提供システムは、移動体通信装置あるいは第一の移動体通信装置のナビ情報に変更があった場合（例えば、ルートの変更や目的地の変更など）には、移動体通信装置あるいは第一の移動体通信装置は、変更したナビ情報をセンタあるいは第二の移動体通信装置に送信するので、センタあるいは第二の移動体通信装置は、変更されたナビ情報を受信し、このナビ情報に基づいてサービス情報を再検索して送信することができ、移動体通信装置の位置を十分に考慮した利便性の高いサービス情報を迅速に提供することが可能となる。
【０１０３】
また、上記の実施例では、ユーザからのナビ情報送信指示を受け付けて移動体通信装置がナビ情報を送信する場合を説明したが、本発明はこれに限定されるものではなく、例えば、所定時間ごとや一定走行距離ごとに自動的にナビ情報を送信するようにしてもよい。
【０１０４】
（７）装置構成等
また、上記の実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０５】
また、図２示したセンタ、図３に示した移動体通信装置３０および図７に示した移動体通信装置５０の各構成要素は機能概念的なものであり、必ずしも物理的に図示の如く構成されていることを要しない。すなわち、センおよび各移動体通信装置の分散・統合の具体的形態は図示のものに限られず、例えば、移動体通信装置５０のナビ情報送信部５３ａとサービス情報送信部５３ｆとを統合し、サービス情報受信部５３ｂとナビ情報受信部５３ｃとを統合するなど、その全部または一部を、各種の負荷や使用状況などに応じて、任意の単位で機能的または物理的に分散・統合して構成することができる。さらに、センタおよび各移動体通信装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１０６】
なお、上記の実施例で説明した情報提供方法（図５および図８参照）は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１０７】
以上のように、本発明に係る情報提供システム、情報提供装置および情報提供プログラムは、移動体通信装置のナビ情報に基づいて、センタから当該移動体通信装置に対してサービス情報を提供する場合、または、第一の移動体通信装置のナビ情報に基づいて、第二の移動体通信装置から当該第一の移動体通信装置に対してサービス情報を提供する場合に有用であり、特に、移動体通信装置の位置を十分に考慮した利便性の高いサービス情報を提供すること、または、センタを介さずに移動体通信装置間で、他の移動体通信装置の位置を十分に考慮した利便性の高いサービス情報を提供することに適する。
【図面の簡単な説明】
【０１０８】
【図１】実施例１に係る情報提供システムの概要および特徴を説明するための図である。
【図２】実施例１に係るセンタ１０の構成を示すブロック図である。
【図３】実施例１に係る移動体通信装置３０の構成を示すブロック図である。
【図４】実施例１に係るセンタ１０のサービス情報記憶部１２ａに記憶されている情報の構成例を示す図である。
【図５】実施例１に係る情報提供システムの処理の流れを示す図である。
【図６】実施例２に係る情報提供システムの概要および特徴を説明するための図である。
【図７】実施例２に係る移動体通信装置５０の構成を示すブロック図である。
【図８】実施例２に係る情報提供システムの処理の流れを説明する図である。
【図９】実施例３に係るサービス情報記憶部に記憶される情報の構成例を示す図である。
【図１０】実施例３に係るサービス情報記憶部に記憶される情報の構成例を示す図である。
【符号の説明】
【０１０９】
１  ネットワーク
１０  センタ
１１  通信制御ＩＦ部
１２  記憶部
１２ａ  サービス情報記憶部
１３  制御部
１３ａ  ナビ情報受信部
１３ｂ  予測位置算定部
１３ｃ  サービス情報検索部
１３ｄ  サービス情報送信部
２１  ナビゲーション装置
２２  ディスプレイ
２３  スピーカ
３０  移動体通信装置
３１  通信制御ＩＦ部
３２  記憶部
３２ａ  サービス情報記憶部
３３  制御部
３３ａ  ナビ情報送信部
３３ｂ  サービス情報受信部
４０  バス
５０  移動体通信装置
５１  通信制御ＩＦ部
５２  記憶部
５２ａ  サービス情報記憶部
５３  制御部
５３ａ  ナビ情報送信部
５３ｂ  サービス情報受信部
５３ｃ  ナビ情報受信部
５３ｄ  予測位置算定部
５３ｅ  サービス情報検索部
５３ｆ  サービス情報送信部
【図１】
2007225445.tif 000003
【図２】
2007225445.tif 000004
【図３】
2007225445.tif 000005
【図４】
2007225445.tif 000006
【図５】
2007225445.tif 000007
【図６】
2007225445.tif 000008
【図７】
2007225445.tif 000009
【図８】
2007225445.tif 000010
【図９】
2007225445.tif 000011
【図１０】
2007225445.tif 000012